(57)【要約】【目的】本発明は法面修景緑化用プランター及び法面修景緑化用基盤材収納装置並びにそのプランターを使用した法面修景緑化工法に関するもので、荒地法面や無味乾燥な擁壁面おいて、最も人の目に触れる基盤材収容体の正面が間伐材を加工した木材で化粧することにより、素朴で暖かな自然の景観が得られるようにしたものである。【構成】所定の間隔（Ｗ）を保持した左右の金網体（２′）付きの支持枠（２）と当該支持枠に対峙する前面枠（４）とでレール溝（５）を成形し、そのレール溝に複数の間伐材の丸太（９）を落とし込むように装入して正面壁（１０）と底面壁（１１）を成形した法面修景緑化用プランターの構成。【選択図】　　　図１
2004084171.tif 000002
【特許請求の範囲】
【請求項１】
所定の間隔（Ｗ）を保持した左右の金網体付き支持枠（２）の正面部（３）と底面部（３′）に対峙する正面部（４′）と底面部（４″）を有する前面枠（４）を支持枠に取付けてレール溝（５）を成形し、そのレール溝に複数の丸太（９）を装入して正面壁（１０）と底面壁（１１）を成形して基盤材収容体（１）としたことを特徴とする法面修景緑化用プランター。
【請求項２】
所定の間隔（Ｗ）を保持した左右の金網体付き支持枠（２）の正面部（３）と底面部（３′）に対峙して正面部（４′）と底面部（４″）を有する前面枠（４）の間にレール溝（５）を形成すると共に、その左右の支持枠間に横長の間隔ほ金網体（７）を張設し、前記レール溝に間伐材で加工した複数の丸太（９）を装入して正面壁（１０）と底面壁（１１）を成形して基盤材収容体（１）としたことを特徴とする法面修景緑化用プランター。
【請求項３】
法面（Ｍ）の斜面方向に沿って、複数のコンクリートの縦梁（Ｎ）を所定間隔（Ｗ）を保持して打設設置し、左右の縦梁間に基盤材収容体（１）をはめ込み、当該基盤材収容体に設けた梁用取付け具（１２）とコンクリートアンカー（１３）を介して縦梁（Ｎ）に取付けた請求項１記載のプランターを使用した法面修景緑化用基盤材収納装置。
【請求項４】
法面（Ｍ）の高さ方向に沿って、複数の縦梁（Ｎ）を所定間隔を保持して打設設置し、左右の縦梁間にはめ込んだ基盤材収容体（１）内に沿って防腐マット（１４）と安全マット（１５）を敷き込み、その内側に緑化基盤材（１６）を直接充填した後、低木等の草本類（１７）を植裁した請求項１記載のプランターを使用した法面修景用緑化装置。
【請求項５】
コンクリート又はモルタルの擁壁面（Ｍ′）に沿って、基盤材収容体（１）をコンクリートアンカー（１３）で取付け、その基盤材収容体内に沿って防腐マット（１４）と安全マット（１５）を敷き込み、その内側に緑化基盤材（１６）を直接充填し、且つ低木等の草本類（１７）を植裁した請求項２記載のプランターを使用した法面修景用緑化装置。
【発明の詳細な説明】
【０００１】
【発明の属する技術分野】
本発明はコンクリートやモルタル吹付け斜面又は擁壁面等の法面における修景緑化用プランター及びその法面修景緑化用基盤材収納装置並びにそのプランターを使用した法面修景用緑化装置に関するもので、無味乾燥な荒地の法面や擁壁面おいて、最も人の目に触れる基盤材収容体の正面を間伐木材で化粧することにより、素朴で穏やかな自然の景観が得られるようにしたものである。
【０００２】
また、その間伐木材は設定の直径や長さに設定したことによって支持枠のレール溝に落とし込むだけで正面壁と底面壁が自動的に形成される。しかも、植栽用容器の収納スペースを横長に大きく形成すると共に、容器内に特殊な機能を有する給水マットを敷くことによって、早期に多量の緑化を図ることを目的とする。
【０００３】
【従来の技術】
本願出願人は、先に特許第２８９０１０１号及び実公平　７−　３８３８４号（登録第２１２７３５６号）において、既設のコンクリート擁壁やコンクリートブロック積み壁面等の修景に寄与する発明・考案を提供した。前者は既設の擁壁面をはつる作業をしないでもその既設のコンクリート擁壁面に植裁プランターを容易に取付けることができる。また、後者は無味乾燥の人工造成したコンクリート表面に植物を繁茂して自然緑化が実現できるようになった。
【０００４】
【発明が解決しようとする課題】
ところで、上記前者の発明は、プランターはプレキャストコンクリートでボックス型をであるため、その表面に化粧を施してあっても、なお人工擁壁の感は否めない。そして、プランター内底は密閉式であるため、安全マットを敷き込んでいても通気性と排水性の効率は必ずしも完全ではなかった。
【０００５】
また、後者にあっては、バスケット内に沿って粗繊維マットを敷き、その内側に客土袋を収容してある。そして、バスケットが金網であるため、通気性富むがその分保水性に欠ける。そのため、粗繊維マットを敷き詰めても排水率が高くて長期の保水には適さない。また、バスケット全体が金網であるため、植裁が繁茂しても特に目につきやすい正面が隠しきれなくて景観上なお課題が残っていた。
【０００６】
【課題を解決するための手段】
本発明は従来の課題を解決し、且つ発明の目的達成するために提供するものである。本発明の第１は法面修景緑化用プランターにおいて、所定の間隔を保持した左右の金網体付き支持枠の正面部と底面部に対峙する正面部と底面部を有する前面枠を取り付けてレール溝を成形し、そのレール溝に複数の丸太を装入して正面壁と底面壁を成形して基盤材収容体としたものである。
【０００７】
本発明の第２は法面修景緑化用プランターにおいて、所定の間隔を保持した左右の金網体付き支持枠の正面部と底面部に対峙して正面部と底面部を有する前面枠の間にレール溝を形成すると共に、その左右の支持枠間に横長の金網体を張設し、前記レール溝に間伐材で加工した複数の丸太を装入して正面壁と底面壁を成形して基盤材収容体としたものである。
【０００８】
本発明の第３は第１の発明における法面修景緑化用プランターを使用した法面修景緑化用基盤材収納装置において、法面の高さ方向に沿って、複数のコンクリートの縦梁を所定間隔を保持して打設設置し、左右の縦梁間に基盤材収容体をはめ込み、当該基盤材収容体に設けた梁用取付け具とコンクリートアンカーを介して縦梁に取付けたものである。
【０００９】
本発明の第４は第１の発明における法面修景緑化用プランターを使用した法面修景用緑化装置において、地山の斜面方向に沿って、複数の縦梁を所定間隔を保持して打設設置し、左右の縦梁間に基盤材収容体をはめ込んで支持枠に設けた取付け具とアンカーで当該基盤材収容体を縦梁に取り付け、その基盤材収容体内に沿って防腐マットと安全マットを敷き込み、その内側に緑化基盤材を直接充填した後、低木等の草本類を植裁したものである。
【００１０】
本発明の第５は第２の発明における法面修景緑化用プランターを使用した法面修景用緑化装置において、コンクリート又はモルタルの擁壁面に沿ってコンクリートアンカーで取付けた基盤材収容体内に沿って防腐マットと安全マットを敷き込み、その内側に緑化基盤材を直接充填した後、低木等の草本類を植裁したものである。
【００１１】
【実施例】
本発明の実施例を図面に基づいて説明する。１は基盤材収容体、２は所定間隔Ｗを保持して配置した左右の支持枠であり、当該支持枠体内に基盤材収容体の側面を形成する金網体２′が張設されている。３は支持枠２の正面部、３′は当該正面部に連続する底面部、４は支持枠２の正面部３・底面部３′に所定の間隔をあけて対峙する正面部４′・底面部４″を持つ前面枠、５は支持枠２と前面枠４とで形成したレール溝、６は左右の支持枠２に所定の間隔Ｗを保持するための棒状又は横桟形の間隔保持材である。
【００１２】
図１３〜１６において、７は左右の支持枠２の間における正面部３′と底面部３″に渡って張設した金網体であり、上辺と下辺に横桟形の間隔保持材６が一体に設けられている。
８は支持枠２の正面部３と底面部３′と前面枠４の正面部４′・底面部４″によって形成されたレール溝５の上部開口を塞ぐための丸太押さえ具であり、その基部を支持枠２の平面部に回動自在に取付けてある。
９は前記のレール溝５に落とし込むようにして装入する複数の丸太であり、間伐材をレール溝５に収容できる直径と左右のレール溝に届く長さに加工してある。なお、その丸太は円柱のほか、多角形や楕円形も含まれるが、レール溝５にスムーズに装入できるためには円柱を最も可とする。また、丸太に防腐加工したものを用いることも可能である。前記の支持枠２、前面枠４、間隔保持材６、金網体７、丸太押さえ具８・間伐材製丸太９によって基盤材収容体１が構成されている。
【００１３】
１０は前記のレール溝５に落とし込むように装入した丸太９によって形成した正面壁、１１は当該正面壁に連なる底面壁、１２は基盤材収容体１に取付けた梁用取付け具、１３はその梁用取付け具をコンクリート縦梁Ｎに取付るためのボルト形のコンクリートアンカーである。
【００１４】
１４は防腐マットであり、ポリエステルシートを用いている。１５は保水効果を有する安全マット、１６は基盤材収容体１に敷き込んだ防腐マット１４と安全マット１５の内側に詰め込んだ客土となる緑化基盤材、１７は緑化基盤材に植裁した木本類であり、図示例は低木を植裁したものを示す。１８・１８′は金網体７を支持枠２に取付けるためのボルトとナット、１９はその金網体取付用当て板２０は丸太押さえ具８のねじ・釘等の止着具である。
【００１５】
【具体的な施工例】
（１）「コンクリート縦梁の打設及びその縦梁への取付け」
次に本発明の具体的な施工例を説明する。まず、図１〜図１２において、人工的に造成された土や岩の傾斜地・植生基盤・コンクリート・モルタル等の法面Ｍの高さ方向に沿って、コンクリートの縦梁Ｎを所定間隔Ｗを保持して複数列に打設して設置する。次に、左右の縦梁Ｎの間に基盤材収容体１をはめ込み、当該基盤材収容体の梁用取付け具１２、コンクリートアンカー１３を介して縦梁Ｎに基盤材収容体１を取付ける。次に、基盤材収容体１の左右の支持枠２と前面枠４とで成形したレール溝５の上部開口から丸太９を落とし込むように装入して正面壁１０と底面壁１１を成形する。
【００１６】
そして、この基盤材収容体１の内側に沿って防腐マット１４と安全マット１４を敷き込む。この場合、支持枠２の正面部１０・底面部１１に相当する部位は丸太９の内側に前記防腐マット若しくは安全マットが接することになる。続いて、防腐マット１４と安全マット１４の内側に客土袋の緑化基盤材１６を直接投入して充填した後、低木１７を植裁する。
【００１７】
（２）「既設擁壁面への取付け」
次に、図１３〜１６においては、左右の支持枠２の背面垂直部２″の上下及び前面枠４の背面起立部４ｎにあけた孔２１・４１にコンクリートアンカー１３を挿通してコンクリート又はモルタルの既設擁壁面Ｍ′に所定の間隔Ｗを保持して装着する。このとき、支持枠２と前面枠４とによってレール溝５も形成される。
【００１８】
続いて、左右の支持枠２の正面部３と底面部３′に渡って間隔保持材６と一緒に金網体７を張設する。図１４・図１６はその金網体の張設手段としてボルト１８・ナット１８′と当て板１９を用いて支持枠２に取付けてあるが、この場合は当該ボルトの頭部又はナットが丸太９のレール溝５に装入する際の邪魔にならないように取り付けるものとする。
【００１９】
そして、左右の支持枠２のレール溝５に丸太９を上方から落とし込むように装入し、装入し終わったら支持枠平面の丸太押さえ具８を倒してねじ又は釘等の止着具２０で閉止する。
【００２０】
そして、図９〜図１２と同じように基盤材収容体１内に沿って防腐マット１４と安全マット１５を敷き込み、その内側に客土袋から緑化基盤材１６を直接投入して充填した後、低木１７を植裁する。
【００２１】
【発明の効果】
本発明は上記の構成により次の効果がある。すなわち、法面・既設擁壁面に設置した基盤材収容体において最も人の目に触れる正面が自然の間伐木材であることにより、素朴で穏やかな景観が得られ、且つ伐採後の処置に難儀する間伐材の多量の利用促進が図れると共に、アメニティ効果が向上する。
【００２２】
また、その間伐材は設定の直径や厚さと長さに設定してあることによって支持枠のレール溝に落とし込むだけで自然木材の正面壁と底面壁が自動的に形成される。そして、基盤材収容体の正面内側に防腐マットを敷き詰めることによって客土袋から投入した緑化基盤材が直接接触しないようにし、これによって間伐丸太材の腐蝕を防ぐことができる。さらに、低木類による植裁で、コンクリートやモルタル吹付けが露出している法面を広範囲に覆うことができ、景観緑化範囲が拡大する。
【００２３】
そして、森林育成において必ず発生する間伐材の用途拡大が図れる。なお、その間伐を所定の直径や厚さと長さに設定し、この複数の間伐丸太材を支持枠のレール溝に落とし込むだけで正面と底面の壁面が形成できる。しかも、間伐丸太材のうち、破損したものがある場合は、丸太押さえ具を開放してその破損したものだけを簡単容易に交換することができる。また、当該丸太押さえによってレール溝内の丸太の逸脱を防止することができる。
【００２４】
なお、地山法面に本発明に係るプランターを設置することによって、法面の上方から不測の落下物受け止める緩衝施設の役割を果たすので、人災や交通災害の予防に効果を有する。
【図面の簡単な説明】
【図１】本発明に係る法面修景緑化用プランターを使用した法面緑化工事によって修景した法面の全景図である。
【図２】図１の一部を拡大した斜視図である。
【図３】基盤材収容体の正面図である。
【図４】図３の平面図である。
【図５】図３の５−５線に沿う拡大断面図である。
【図６】図６から図１２は法面修景緑化用のプランター設置工程順序を示し、図５は縦梁型枠取付工の側面図である。
【図７】縦梁打設工の側面図である。
【図８】プランター取付工の側面図である。
【図９】プランターの正面部位に間伐丸太を装入した側面図である。
【図１０】プランターの内側に防腐マットと安全マットを敷き込んだ側面図である。
【図１１】プランターの中に客土を充填している状態の側面図である。
【図１２】プランターの客土に低木を植裁した側面図である。
【図１３】基盤材収容体の他の例を示す斜視図である。
【図１４】図１３の基盤材収容体の拡大側面図である。
【図１５】図１４の基盤材収容体に間伐丸太を装入した正面図である。
【図１６】図１５の１６−１６線に沿う断面図である。
【符号の説明】
１　基盤材収容体
２　支持枠
３　支持枠の正面部
４　前面枠
４′・４″　前面枠の正面部と底面部
５　レール溝
６　間隔保持材
７　左右の支持枠間に張設した金網体
８　丸太押さえ具
９　丸太
１０　正面壁
１１　底面壁
１２　梁用取付け具
１３　コンクリートアンカー
１４　防腐マット
１５　安全マット
１６　緑化基盤材
１７　木本類（低木）
Ｋ　型枠
Ｌ　吹付けノズル
Ｍ　地山の法面
Ｍ′　既設擁壁面
Ｎ　縦梁
【図１】
2004084171.tif 000003
【図２】
2004084171.tif 000004
【図３】
2004084171.tif 000005
【図４】
2004084171.tif 000006
【図５】
2004084171.tif 000007
【図６】
2004084171.tif 000008
【図７】
2004084171.tif 000009
【図８】
2004084171.tif 000010
【図９】
2004084171.tif 000011
【図１０】
2004084171.tif 000012
【図１１】
2004084171.tif 000013
【図１２】
2004084171.tif 000014
【図１３】
2004084171.tif 000015
【図１４】
2004084171.tif 000016
【図１５】
2004084171.tif 000017
【図１６】
2004084171.tif 000018